(57)【特許請求の範囲】
【請求項１】
ゴルフプレーヤのトレーニングに用いられる装置であって、
台と、
前記台上に位置する第１の共面の足支持部材および第２の共面の足支持部材であって、第１の共面の足支持部材は適所に固定され、第２の共面の足支持部材は前記台上で前記第１の共面の足支持部材に対して横方向に動くことができる第１の共面の足支持部材および第２の共面の足支持部材と、
前記第２の共面の足支持部材を前記第１の共面の足支持部材に隣接するように付勢する付勢手段であって、外部から加わる力がないと、前記第２の共面の足支持部材を前記第１の共面の足支持部材に隣接したままにする付勢手段と、
前記装置の非使用時、前記台上に、前記第１の共面の足支持部材とは反対側で、前記第２の共面の足支持部材に隣接して設けられ、前記装置の使用時、前記台の横で、前記第１の共面の足支持部材および前記第２の共面の足支持部材に隣接して位置し、自身の上にゴルフボールを受けることができる、取り外し可能な共面の部材と、
を有する、ゴルフプレーヤのトレーニングに用いられる装置。
【請求項２】
前記第２の共面の足支持部材は、前記第１の共面の足支持部材に対してスライドできるように配置されている、請求項１に記載の装置。
【請求項３】
前記付勢手段は少なくとも１つのばね手段である、請求項２に記載の装置。
【請求項４】
前記付勢手段は少なくとも１つの弾性手段である、請求項２に記載の装置。
【請求項５】
前記第２の共面の足支持部材は、ローラとトラックの組立体によって前記第１の共面の足支持部材に対して動くことができる、請求項２から４のいずれか１つに記載の装置。
【請求項６】
各部材の面が互に交換可能である、請求項１から５のいずれか１項に記載の装置。
【発明の詳細な説明】
【技術分野】
【０００１】
本発明は、様々なスポーツのトレーニング装置の分野に関し、特にゴルファーがその体の下半身を安定させ、実行するスイングのスタンスを確実、かつ安定したなものとする手段を有するゴルファー用トレーニング装置に関する。
【０００２】
本発明は、ボールを打ったり、投げたりすることを必要とするいかなるスポーツで使用されるのに適しているトレーニング装置に関するが、便宜上、ここでは、本発明をゴルファー用トレーニング装置について述べる。
【背景技術】
【０００３】
ゴルファーのスイングを教えたり、修正するために案出された多くの発明が多年にわたってなされてきた。ゴルフのスイングは、３つの基本的なフェーズ、すなわちテイクアウエイ、インパクト、フォロースルーに分解することが可能である。バランスはゴルフスイングのフォロースルーにおいて重要であり、一般にゴルフスイングの最初の２つのフェーズで起こる正しいスイング技術で達成される。このことを起こるためには、望まれないいかなる垂直運動をも防止するように体の下半身を安定させることが肝要である。
【０００４】
間違ったスイング技術は、抑制できない、かつ方向違いのショットから生ずるけがの発生率の増大につながることがある。体の下半身における重量のバランスが正しくないと、ファット（ｆａｔ）ショット（最初に地面を打つ）やスイン（ｔｈｉｎ）ショット（ボールだけを打ち、芝生は打たない）を含むさまざまな間違ったショットが引き起こされることがある。ゴルファーに関係がある他のよくあるスイング間違いには、右ひざの横方の揺れ、垂直方向の動き、ショートゲームにおける下半身の過度の動き、すなわちチッピング（ｃｈｉｐｐｉｎｇ）およびパッチング（ｐｕｔｔｉｎｇ）、および余計に長いスイングが含まれる。
【０００５】
プレーヤの体の動きをコントロールしようとする現在の装置は、定められた動きにおいて一般に過度に限定的で、複雑で、不正確である。これらの装置は、頭部、ウエスト、肩、腕、脚などの、体の様々な部分を固定、すなわち不動にすることによってプレーヤの体の動きを制限するように設計されている。しかしながら、これらの装置は、不快感を感じさせ、位置を調整するのにかなりの時間を必要とするマルチストラップのハンドや脚止め金具を含み、面倒で使いにくい場合が多い。さらに、これらはプレーヤを支え、プレーやの動きを案内するが、プレーヤが自分で自分を支えていた場合、さもなければ起こるであろう支持筋の展開と動きを妨げる。
【０００６】
上記の従来の装置は、ゴルファーのスイングを、装置の設定や位置を再調整する必要なしに、ゴルファーが特定のゴルファーの特性と、コースの傾斜の変化などの環境条件に応じてゴルフの１ラウンドを通してスタンスを調整できるように、ゴルフの１ラウンドにおいて容易に、かつ都合よく制御する方法を提供していない。
【発明の開示】
【発明が解決しようとする課題】
【０００７】
本発明の目的は、コントロールされ、不変のゴルフスイングを確実にするために、ゴルファーの体の動きを制御し安定させる装置を提供することによって、上記従来技術の欠点を克服し、またはこれを実質的に改善することである。
【０００８】
本発明の他の目的は、プレーヤが同じ動きを繰り返すためにプレーヤが戻る一定の基準をもたらす手段を提供することにある。
【０００９】
本発明の他の目的は、プレーヤが、装置を直接押すことなしに、所望の動きをまねることを可能にする必要な筋肉を強化する運動をする手段を提供することにある。
【課題を解決するための手段】
【００１０】
本発明は、
台と、
台上に位置する第１の共面の足支持部材および第２の共面の足支持部材であって、第１の共面の足支持部材は適所に固定され、第２の共面の足支持部材は台上で第１の共面の足支持部材に対して横方向に動くことができる第１の共面の足支持部材および第２の共面の足支持部材と、
第２の共面の足支持部材を第１の共面の足支持部材に隣接するように付勢する付勢手段であって、外部から加わる力がないと、第２の共面の足支持部材を第１の共面の足支持部材に隣接したままにする付勢手段と、
装置の非使用時、台上に、第１の共面の足支持部材とは反対側で、第２の共面の足支持部材に隣接して設けられ、装置の使用時、台の横で、第１の共面の足支持部材および第２の共面の足支持部材に隣接して位置し、自身の上にゴルフボールを受けることができる、取り外し可能な共面の部材と、
を有する、ゴルフプレーヤのトレーニングに用いられる装置を提供する。
【００１１】
第２の共面の足支持部材は、第１の共面の足支持部材に対してスライドできるように配置されているのが好ましい。
【００１２】
付勢手段は少なくとも１つのばね手段であるのがさらに好ましい。
【００１３】
付勢手段は少なくとも１つの弾性手段であるのがさらに好ましい。
【発明を実施するための最良の形態】
【００１５】
本発明をより容易に理解されるように、その特定の実施の形態を非限定的な例によって説明する。
【００１６】
図１から３は、本発明がゴルファーのトレーニング用の装置に関するときの本発明の好ましい実施形態を示している。
【００１７】
本発明のこの実施形態においては、該装置は、１つの部材が固定部材（１）であり、一方がスライド部材（２）、他方が取り外し可能部材（３）である３つの部材（１，２，３）を有する台（４）を含む。台（４）は、３つの部材が互いに隣り合って水平に置かれたときに３つの部材（１，２，３）の寸法に等しいフレームの寸法を有する矩形のフレームであり、したがって部材（１，２，３）が台（４）の上へ置かれると、部材（１，２，３）の外側の縁は台（４）のフレームの縁と揃う。
【００１８】
フレーム（５）の下左側には、ばね部材（８）のフック（７）を受け入れ、それらをフレームに固定するようになっている、等間隔に間隔をおいている５個の穴（６）が設けられている。フレーム（５）の左側の直ぐ上には、台（４）のフレームに永久的に取り付けられ、基準としての役目をし、スライド可能部材（２）が広がるように支持する働きをする固定部材（１）が載っている。
【００１９】
フレーム（９）の前側の面は、装置が完全に組み立てられたときに装置を可搬性にし、容易にプレーヤで運ばれるようにする手段の働きをする取っ手（１０）を有している。
【００２０】
フレーム（１１）の内部側部には、スライド部材（２）の下面に取り付けられている複数のローラ（１３）を収容するように作られたローラとトラックの組立体（１２）が設けられている。台（４）の縁自体はトラック（１２）の端としての役目をし、したがってローラ（１３）がさらにスライドするのを停止させる手段としての役目をする。
【００２１】
フレーム（１４）の右側の側面には、穴〈１５〉と、穴（１５）と取り外し可能部材（３）の側面に設けられた穴（１７）を通過することができ、かつ部材（３）を固定したり取り外したりするために締め付けたり緩めたりするようになっている回転可能なねじ部材（１６）がある。
【００２２】
スライド部材（２）は台の中央で、台（４）の前側の面（９）の上にある取って（１０）の直ぐ背後にある。スライド部材（２）の真下には、Ｌ形の帯状材（１８）がスライド部材（２）の中心にわたって垂直に延びており、帯状材（１８）の上側部分（１９）は部材（２）の下面に両端で固定されている。帯状材（１８）の下側部分（２０）はスライド部材（２）から垂直下向きに延びており、かつ等間隔をおいて位置し、ばね部材（８）からのフック（７）を受け入れるようになっている５個の穴（２１）を有している。これらの穴（２１）は、スライド部材（２）が所定の場所に置かれたときに穴（２１）が台（４）の左側の側面（５）に設けられた穴（６）に対応するように間隔をおいて位置している。
【００２３】
スライド部材（２）のフレームの真下には、２つのフロントローラ組立体（２２）と２つのバックローラ組立体（２３）が取り付けられている。これらローラ組立体（２２，２３）はスライド部材（２）のフレームの底部に固定された固定部材（２４）からなっており、固定部材（２４）はローラ（１３）の一方の側からボルト（２６）を受け入れる開口を有しており、ワッシャーとナット（２８）はローラ（１３）を所定の位置に固定するために固定部材（２４）の他方の面から締め付けることができる。
【００２４】
スライド部材（２）の右側の側面には、可動の部材（３）上に設けられたコネクタ部材（３０）を、それがスライド部材（２）に隣接する所定の位置へとスライドしたときに受け入れるようになっている開口（２９）がある。
【００２５】
スライド部材（２）はばねで荷重がかけられており、複数のばね（８）によって台（４）に取り付けられている。ばね（８）の数は、装置（３１）を用いる人の身体的特徴に合わせて変えてもよく、これによって接続されるばね（８）の数が多ければ多いほど、より大きな引っ張り力が装置（３１）に加えられる。
【００２６】
可動の部材（３）は、そのフレームの下面に固定された２つの矩形の棒（３２）と、そのフレームの右側側面の下面に固定された２つのＬ形のスタンド部材（３３）を有している。棒（３２）と、スタンド部材（３３）の下向きに突出する側面（３４）の高さは台（４）の高さと同じであり、したがって取り外し可能部材が取り除かれ、台（４）の前側の面（９）に隣接して位置するように水平に移動させられると、取り外し可能部材（３）は台（４）の残りと同じ高さになり、プレーヤが装置（３１）の上に立って、実際の場面でのそのスイングを練習している場合、ボールが上にのる場所がある。ボールを置くこととスイングのガイドを、部材（１，２，３）の表面に設けられている略図によって補助してもよい。
【００２７】
取り外し可能部材（３）のフレームの左側の側面には、フレームの側面から外向きに突出し、２つの部材（２，３）が台組立体（４）内で互いに垂直方向に隣接して位置を揃えられたとき、スライド部材（２）内の受け入れ開口（２９）に滑り込む丸いコネクタ部材（３０）が位置している。
【００２８】
部材（１，２，３）の表面（３５）は、人によってはより硬いまたはより軟らかい表面を好むので、人が、どの材料が彼らにとって最も快適か選択できるように、互に交換可能に作られている。
【００２９】
実際、ボールを打てるようにボールを台の上に置く手段の働きをするために取り外し可能部材（３）が取って台の前に置かれる。プレーヤは次に、固定部材（１）とスライド部材（２）を所定の位置に持ち、一方の足が固定部材（１）の上に位置し、他方の足がスライド部材（２）の上に位置するように前方のほうを向いて台（４）の上に立つ。プレーヤは次に、中央神経系内に反応を直ちに引き起こす行動である、スライド部材（２）の上を滑り、動いている体の下半身を安定させる特定の運動パターンを有効にする。
【００３０】
この反応メカニズムの結果として生じた正しいスタンスは実際、ゴルフのスイングを行うときに採られるべき理想的なスタンスである。体の下側は、プレーヤがショットの全体を通して、制御され正確なスイングを維持するのに自己の関心を集中できるように体の上半分のいかなるふらつきも抑えるようにしっかりと安定させられる。装置（３１）は、プレーヤをしてこのスタンスを保持させる。というのは、もしそうしなかったならば、スライド部材（２）がはねかって、プレーヤが倒れるからである。
【００３１】
装置（３１）はさらに、プレーヤが同じ動きを繰り返すために戻るかもしれない一定の基準をもたらす。このことは装置（３１）を、ティーチング装置として、また練習装置として適したものにする。
【００３２】
装置（３１）は、最終的にプレーヤがコースに踏み出して、何のトレーニングの助けもなしに、確実かつ制御されたスタンスを自動的にとることができるようにスタンスが最初に取られたときに経験される初期の不安定を停止させるために、その安定を得る筋肉に働く練習のためにも使うことができる。
【００３３】
ここに本発明の特定の実施形態を説明したが、そのさまざまな変形および修正は本発明の範囲を逸脱しないで可能であることが理解されるべきである。
【図面の簡単な説明】
【００３４】
【図１】台の上の所定の位置に取り付けられているすべての部材を示す、トレーニング装置の一実施形態の斜視図である。
【図２】体を安定させるばね機構を示す、トレーニング装置の一実施形態の斜視図である。
【図３】装置の下側を示す、トレーニング装置の一実施形態の斜視図である。
【図１】
0004473859.tif 000002
【図２】
0004473859.tif 000003
【図３】
0004473859.tif 000004